(57)【要約】【課題】長いものから比較的短いものまで広範囲に吊り上げられるとともに、耐荷重性が優れた長尺物自動玉掛け吊具を提供する。【解決手段】クレーンにより略水平に支持される長尺ビーム１の長軸中心の両側に一対の支持枠体４，４を夫々走行可能に吊下し、該各支持枠体を該長尺ビームに沿って走行させる走行駆動装置８，８を設けるとともに、該各支持枠体は垂下アーム１９，１９対を拡縮自在に吊下し、該垂下アーム対の下端に所定長の吊索２０を張設してなる。【選択図】　図３
2004035194.tif 000002
【特許請求の範囲】
【請求項１】
クレーンにより略水平に支持される長尺ビームの長軸中心の両側に一対の支持枠体を夫々走行可能に吊下し、該各支持枠体を該長尺ビームに沿って走行させる走行駆動装置を設けるとともに、該各支持枠体は垂下アーム対を拡縮自在に吊下し、該垂下アーム対の下端に所定長の吊索を張設してなることを特徴とした長尺物自動玉掛け吊具。
【請求項２】
請求項１に記載の走行駆動装置は、長尺ビームの長軸中心の両側に夫々モータによって回転駆動される一対の螺子軸を設け、各支持枠体には該各螺子軸に螺合するボール螺子を設けてなるものである長尺物自動玉掛け吊具。
【発明の詳細な説明】
【０００１】
【発明の属する技術分野】
本発明は棒鋼等の重量長尺物をクレーンにより吊り上げるための自動玉掛け吊具に関するものである。
【０００２】
【従来の技術】
棒鋼等の重量長尺物をクレーンにより吊り上げるための自動玉掛け吊具は、従来より実開平２−９９８８６号公報，実開平４−３４２８４号公報，実開平４−６０９９１号公報等により知られているが、これら従来の玉掛け吊具は、吊具本体の両端部に一対の吊アームをシリンダを作動させることにより外方に回転し拡張し得るように構成したものであった。
【０００３】
【発明が解決しようとする課題】
ところで、吊荷である棒鋼等の長尺物製品の長さには長いものから短いものまで非常に大きな幅があるが、従来の上記吊具の構造では長さに対する適用範囲が狭く、実状にそぐわないという問題があった。また、吊アームの回転支点となる枢軸に集中荷重が掛かるので強度が損なわれるという問題があった。
そこで本発明は、長いものから比較的短いものまで広範囲に吊り上げられるとともに、耐荷重性が優れた長尺物自動玉掛け吊具を提供しようとするものである。
【０００４】
【課題を解決するための手段】
そのために本発明に係る長尺物自動玉掛け吊具は、クレーンにより略水平に支持される長尺ビームの長軸中心の両側に一対の支持枠体を夫々走行可能に吊下し、該各支持枠体を該長尺ビームに沿って走行させる走行駆動装置を設けるとともに、該各支持枠体は垂下アーム対を拡縮自在に吊下し、該垂下アーム対の下端に所定長の吊索を張設してなることを特徴とする。
また本発明は上記長尺物自動玉掛け吊具において、走行駆動装置は、長尺ビームの長軸中心の両側に夫々モータによって回転駆動される一対の螺子軸を設け、各支持枠体には該各螺子軸に螺合するボール螺子を設けてなるものであることを特徴とする。
【０００５】
【発明の実施の形態】
次に図面に従い本発明の実施の形態を説明する。図１は本発明に係る長尺物自動玉掛け吊具の正面図、図２はそのＡ−Ａ線断面矢視図である。同図中、１は２本のＩ形鋼１ａ，１ａを横架材１ｂを固着することにより平行に配してなる長尺ビームで、該長尺ビームの上面に一対の吊金具２，２を突設し、該吊金具にクレーン（図示せず）ロープのフック３，３を掛けて吊り上げることにより、該長尺ビーム１が略水平に支持されるようにしている。また、４，４は該長尺ビーム１の長軸中心の両側に吊下された一対の支持枠体である。該支持枠体４，４は、水平杆５，５の上面に軸受片６，６を突設することで夫々８個の車輪７を夫々回転自在に支持し、該各車輪７をＩ形鋼１ａ，１ａの下辺上を乗せて転動させることで、該長尺ビーム１に沿って走行可能に吊下する。
【０００６】
また、８，８は該支持枠体４，４を長尺ビーム１に沿って走行させる走行駆動装置で、該走行駆動装置は、長尺ビーム１の長軸中心の両側に長手方向に沿い一対の螺子軸９，９を軸受１０，１１によって夫々回転自在に軸支し、該螺子軸９，９の一端に固着したスプロケット１２，１２と減速機付きモータ１３，１３の回転軸に固着したスプロケット１４，１４に無端チェーン１５，１５を巻き掛けし、さらに、前記水平杆５，５上に突設された支持台１６，１６に該螺子軸９，９に螺合するボール螺子１７，１７を設けてなる。
【０００７】
また、支持枠体４，４は水平杆５，５の両端部にピン１８，１８によって一対の垂下アーム１９，１９を拡縮自在に吊下し、該垂下アーム対の下端に所定長のベルト，チェーン等の吊索２０を張設し、該垂下アーム対の略中間部にリンク部材２１，２１をトグルジョイント様に組み付け、該リンク部材２１，２１の交点を水平杆５，５の下面との間に設けられた圧縮バネ２２によって弾性的に圧下し、常態ではその弾性により該垂下アーム１９，１９対が拡幅され、吊索２０が水平に引っ張られるようにしている。
【０００８】
このように構成した玉掛け吊具では、モータ１３，１３を駆動して螺子軸９，９を回転させることで支持枠体４，４を長尺ビーム１に沿って走行させ任意の位置で停止できるので、図１に示したように両支持枠体４，４の間隔に吊り上げようとする長尺物２３が位置するように調整し、その状態で両支持枠体４，４の間隔をさらに狭め、両支持枠体４，４の吊索２０上に該長尺物２３があるようにしてからクレーン操作により長尺ビーム１を吊り上げれば、図３に示したように該長尺物２３が該吊索２０により吊り上げられる。そのとき図４に示したように該長尺物２３の荷重によって該吊索２０は撓み圧縮バネ２２の弾性に抗して垂下アーム１９，１９対は縮まり該長尺物２３は該吊索２０により包まれることから安定的に吊り上げることができる。また、長尺物２３を降ろしたときは圧縮バネ２２の弾性により吊索２０はまた水平に張設される。
【０００９】
また、図５に示したように、両支持枠体４，４を長尺ビーム１の一方に寄せることも可能であるので、比較的短い長尺物２６を吊り上げる場合はこのように両支持枠体４，４を偏在させることで工場内壁面等の邪魔となることなく上げ降ろしをすることができる。
【００１０】
なお、この実施形態では、走行駆動装置として、螺子軸９，９とボール螺子１７，１７を示したが、チェーン駆動により両支持枠体４，４を走行させるようにしてもよい。
【００１１】
【発明の効果】
このように本発明に係る長尺物自動玉掛け吊具は、クレーンにより略水平に支持される長尺ビームの長軸中心の両側に一対の支持枠体を夫々走行可能に吊下し、該各支持枠体を該長尺ビームに沿って走行させる走行駆動装置を設けるとともに、該各支持枠体は垂下アーム対を拡縮自在に吊下し、該垂下アーム対の下端に所定長の吊索を張設してなるので、長尺ビームの長さ如何により長いものから比較的短いものまで広範囲に吊り上げられ、しかも従来の玉掛け吊具のように枢軸を有しないので、耐荷重性が優れるなど有益な効果がある。
【図面の簡単な説明】
【図１】本発明の実施形態を示す長尺物自動玉掛け吊具の正面図。
【図２】図１の長尺物自動玉掛け吊具のＡ−Ａ線断面矢視図。
【図３】図１の長尺物自動玉掛け吊具の使用状態を示した正面図。
【図４】図３の長尺物自動玉掛け吊具のＢ−Ｂ線断面矢視図。
【図５】図１の長尺物自動玉掛け吊具の使用状態を示した正面図。
【符号の説明】
１　　　長尺ビーム
２　　　吊金具
４　　　支持枠体
７　　　車輪
８　　　走行駆動装置
９　　　螺子軸
１３　　モータ
１７　　ボール螺子
１９　　垂下アーム
２０　　吊索
【図１】
2004035194.tif 000003
【図２】
2004035194.tif 000004
【図３】
2004035194.tif 000005
【図４】
2004035194.tif 000006
【図５】
2004035194.tif 000007